(57)【要約】【課題】人的コストをかけることなく、利用者をゴールページに誘導するためのリンク情報（気付きリンク）をウェブページに効率的に挿入できるウェブサイト構築支援システム、ウェブサイト構築支援方法およびウェブサイト構築支援プログラムを提供する。【解決手段】ウェブページの中からゴールページを入力させる入力部４０と、アクセスログ情報を取得するアクセスログ取得部４３と、アクセスログ情報に基づいて、アクセス頻度および到達頻度を算出する演算部４４と、アクセス頻度が境界条件より大きいウェブページを集客型ページと判定し、到達頻度が境界条件より大きいウェブページを転換型ページと判定するページ判定部４５と、判定結果に基づいて、集客型ページをリンク元とし転換型ページをリンク先とする気付きリンクを生成するリンク決定部４７と、生成した気付きリンクをリンク元の集客型ページに挿入するページ生成部４９とを備える。【選択図】図３
2008026972.tif 000002
【特許請求の範囲】
【請求項１】
ウェブサイトを構成する複数のウェブページの中からゴールページを入力させる入力部と、
前記ウェブページへのアクセス履歴を表すアクセスログ情報を取得するアクセスログ取得部と、
前記アクセスログ取得部が取得した前記アクセスログ情報に基づいて、前記ウェブページへのアクセス頻度を算出するアクセス頻度演算部と、
前記アクセスログ取得部が取得した前記アクセスログ情報に基づいて、前記ゴールページへの到達頻度を算出する到達頻度演算部と、
前記アクセス頻度が境界条件より大きいウェブページを集客型ページと判定し、前記到達頻度が境界条件より大きいウェブページを転換型ページと判定するページ判定部と、
前記ページ判定部の判定結果を記憶するページ判定結果格納部と、
前記ページ判定結果格納部に記憶された前記判定結果に基づいて、集客型ページをリンク元とし転換型ページをリンク先とするリンク情報を生成するリンク決定部と、
前記リンク決定部が生成した前記リンク情報をリンク元の前記集客型ページに挿入するページ生成部とを備えたことを特徴とするウェブサイト構築支援システム。
【請求項２】
リンク元である集客型ページの到達頻度が閾値より小さいリンク情報、または、リンク先である転換型ページのアクセス頻度が閾値より小さいリンク情報を無効なリンク情報と判定するリンク評価部を更に備え、
前記リンク決定部は、前記ページ判定部が転換型ページと判定したウェブページの中から、無効なリンク情報におけるリンク先の転換型ページに代わる転換型ページを決定し、決定した前記転換型ページをリンク先とするリンク情報を新たに生成し、
前記ページ生成部は、前記リンク決定部が新たに生成した前記リンク情報を、前記無効なリンク情報に代えて、リンク元の前記集客型ページに挿入する請求項１に記載のウェブサイト構築支援システム。
【請求項３】
前記リンク評価部は、リンク元である集客型ページの到達頻度が閾値より大きく、かつ、リンク先である転換型ページのアクセス頻度が閾値より大きいリンク情報を有効なリンク情報と判定する請求項２に記載のウェブサイト構築支援システム。
【請求項４】
ウェブサイトを構成する複数のウェブページの中からゴールページを入力させる入力工程と、
前記ウェブページへのアクセス履歴を表すアクセスログ情報を取得するアクセスログ取得工程と、
前記アクセスログ取得工程で取得された前記アクセスログ情報に基づいて、前記ウェブページへのアクセス頻度を算出するアクセス頻度演算工程と、
前記アクセスログ取得工程で取得された前記アクセスログ情報に基づいて、前記ゴールページへの到達頻度を算出する到達頻度演算工程と、
前記アクセス頻度が境界条件より大きいウェブページを集客型ページと判定し、前記到達頻度が境界条件より大きいウェブページを転換型ページと判定するページ判定工程と、
前記ページ判定工程の判定結果をページ判定結果格納部に記憶するページ判定結果格納工程と、
前記ページ判定結果格納工程で前記ページ判定結果格納部に記憶された前記判定結果に基づいて、集客型ページをリンク元とし転換型ページをリンク先とするリンク情報を生成するリンク決定工程と、
前記リンク決定工程で生成された前記リンク情報をリンク元の前記集客型ページに挿入するページ生成工程とを含むことを特徴とするウェブサイト構築支援方法。
【請求項５】
ウェブサイトを構成する複数のウェブページの中からゴールページを入力させる入力処理と、
前記ウェブページへのアクセス履歴を表すアクセスログ情報を取得するアクセスログ取得処理と、
前記アクセスログ取得処理で取得された前記アクセスログ情報に基づいて、前記ウェブページへのアクセス頻度を算出するアクセス頻度演算処理と、
前記アクセスログ取得処理で取得された前記アクセスログ情報に基づいて、前記ゴールページへの到達頻度を算出する到達頻度演算処理と、
前記アクセス頻度が境界条件より大きいウェブページを集客型ページと判定し、前記到達頻度が境界条件より大きいウェブページを転換型ページと判定するページ判定処理と、
前記ページ判定処理の判定結果をページ判定結果格納部に記憶するページ判定結果格納処理と、
前記ページ判定結果格納処理で前記ページ判定結果格納部に記憶された前記判定結果に基づいて、集客型ページをリンク元とし転換型ページをリンク先とするリンク情報を生成するリンク決定処理と、
前記リンク決定処理で生成された前記リンク情報をリンク元の前記集客型ページに挿入するページ生成処理とをコンピュータに実行させることを特徴とするウェブサイト構築支援プログラム。
【発明の詳細な説明】
【技術分野】
【０００１】
本発明は、ウェブサイト構築支援システム、ウェブサイト構築支援方法およびウェブサイト構築支援プログラムに関し、より詳細には、利用者をゴールページに誘導するためのリンク情報をウェブページに挿入するウェブサイト構築支援システム、ウェブサイト構築支援方法およびウェブサイト構築支援プログラムに関する。
【背景技術】
【０００２】
近年のインターネット関連技術の発達に伴い、インターネットを介して企業情報や製品情報などを一般顧客に発信するウェブサイトが広く普及してきている（例えば、特許文献１〜４参照）。特に、近年では、このようなウェブサイトをビジネスに活用する場面が増えてきている。ウェブサイトをビジネスに活用する一例として、例えば、図１７に示すように、ウェブサイトＷにアクセスした利用者を、ビジネスに貢献する（企業の利益に貢献する）ページ（ゴールページ）Ｐgに誘導するようにウェブサイトＷを構築することが考えられる。ここで、ゴールページＰgとは、例えば、「製品紹介」のページ、「カタログや資料のダウンロード」のページ、「体験版のダウンロード」のページ、「購入手続きの完了」のページ、「営業への問い合わせ」のページなどである。
【０００３】
ところで、ウェブサイトＷは、分かり易さ、整合性、管理の容易性などの観点から一貫した思想に基づいて構築されている必要がある。例えば、上記の図１７の例では、「ＳＯＸ法対策入門セミナー」のページＰsは、「企業経営者様向けウェブセミナー」の下位層（１番目の下位層）に構築されていることが適当である。また、「ＳＯＸ法対応ソリューションの導入メリット」のページＰdは、「弊社ソリューションのご紹介」の下位層（２番目の下位層）に構築されていることが適当である。さらに、「ＳＯＸ法対応ソリューションのカタログのダウンロード」のページＰgは、「ＳＯＸ法対応ソリューションの導入メリット」Ｐdの下位層に構築されていることが適当である。
【０００４】
このため、「ＳＯＸ法入門セミナー」のページＰsからビジネスに貢献するページである「ＳＯＸ法対応ソリューションのカタログのダウンロード」のページＰgへ遷移するためには、利用者は、一旦ウェブサイトＷのトップページＰtまで戻る必要がある。それゆえ、「ＳＯＸ法対策入門セミナー」のページＰsを閲覧した利用者が、ＳＯＸ法対応ソリューションのカタログを入手しようとしても、「ＳＯＸ法対応ソリューションのカタログのダウンロード」のページＰgに辿り着くことは困難である。この結果、ビジネス機会の損失につながる場合があった。
【０００５】
このような事態を回避するために、ウェブサイトＷのサイト管理者が自らの経験則に基づいて、「ＳＯＸ法対策入門セミナー」のページＰsをリンク元とし、「ＳＯＸ法対応ソリューションのカタログのダウンロード」のページＰgをリンク先とするリンク情報を生成し、このリンク情報をリンク元である「ＳＯＸ法対策入門セミナー」のページＰsに挿入している。これにより、「ＳＯＸ法対策入門セミナー」のページＰsにアクセスした利用者を「ＳＯＸ法対応ソリューションのカタログのダウンロード」のページＰgに誘導するようにしている。
【特許文献１】特開２００３−２５６４７０号公報
【特許文献２】特開２００３−６２２４号公報
【特許文献３】特開２００２−１２３５１６号公報
【特許文献４】特開２００２−１７５２４０号公報
【発明の開示】
【発明が解決しようとする課題】
【０００６】
しかしながら、従来では、上記のリンク情報を生成する際、サイト管理者が、ウェブサイトを構成する複数のウェブページの中からリンク元のページおよびリンク先のページを選択しているので、以下のような問題を生じる。
【０００７】
第１の問題として、リンク情報を生成する際、サイト管理者は、複数のウェブページの集客力や転換力を実測することなく、サイト管理者の経験則や直感に基づいて、リンク情報を生成する傾向にあり、さらに、サイト管理者は、リンク情報を挿入した後、挿入したリンク情報の有効性を評価しない場合が多い。このため、ウェブサイトを複数のサイト管理者が管理する場合、複数のサイト管理者同士の情報共有ができていないと、有効なリンク情報が生成され難い。
【０００８】
第２の問題として、サイト管理者の人的コストがかかるという問題である。すなわち、例えば、企業のウェブサイトは、膨大なウェブページから構成されている。このため、サイト管理者は、膨大なウェブページの関係を検討し、リンク情報を挿入する必要がある。また、サイト管理者が、ウェブサイトの膨大なアクセスログ情報を解析し、有効なリンク情報を生成することは、現実的ではない。
【０００９】
本発明は、上記の問題点に鑑みてなされたものであり、その目的は、人的コストをかけることなく、利用者をゴールページに誘導するためのリンク情報をウェブページに効率的に挿入できるウェブサイト構築支援システム、ウェブサイト構築支援方法およびウェブサイト構築支援プログラムを提供することにある。
【課題を解決するための手段】
【００１０】
上記目的を達成するために本発明におけるウェブサイト構築支援システムは、ウェブサイトを構成する複数のウェブページの中からゴールページを入力させる入力部と、前記ウェブページへのアクセス履歴を表すアクセスログ情報を取得するアクセスログ取得部と、前記アクセスログ取得部が取得した前記アクセスログ情報に基づいて、前記ウェブページへのアクセス頻度を算出するアクセス頻度演算部と、前記アクセスログ取得部が取得した前記アクセスログ情報に基づいて、前記ゴールページへの到達頻度を算出する到達頻度演算部と、前記アクセス頻度が境界条件より大きいウェブページを集客型ページと判定し、前記到達頻度が境界条件より大きいウェブページを転換型ページと判定するページ判定部と、前記ページ判定部の判定結果を記憶するページ判定結果格納部と、前記ページ判定結果格納部に記憶された前記判定結果に基づいて、集客型ページをリンク元とし転換型ページをリンク先とするリンク情報を生成するリンク決定部と、前記リンク決定部が生成した前記リンク情報をリンク元の前記集客型ページに挿入するページ生成部とを備えたことを特徴とする。
【００１１】
本発明のウェブサイト構築支援システムにおいて、ページ判定部は、アクセス頻度が境界条件より大きいウェブページを集客型ページと判定し、到達頻度が境界条件より大きいウェブページを転換型ページと判定する。ここで、ページ判定結果格納部は、ページ判定部の判定結果を記憶する。リンク決定部は、この判定結果に基づいて、集客型ページをリンク元とし転換型ページをリンク先とするリンク情報を生成する。ページ生成部は、リンク情報をリンク元の集客型ページに挿入する。
【００１２】
本発明のウェブサイト構築支援システムによれば、集客型ページをリンク元とし転換型ページをリンク先とするリンク情報が、リンク元の集客型ページに挿入される。これにより、集客型ページにアクセスした多数の利用者を転換型ページに誘導できるので、ゴールページに到達する利用者数を増加できる。また、上記の従来の構成のように、サイト管理者が、リンク情報を生成する必要がないので、サイト管理者の人的コストを削減できる。
【００１３】
上記本発明におけるウェブサイト構築支援システムにおいては、リンク元である集客型ページの到達頻度が閾値より小さいリンク情報、または、リンク先である転換型ページのアクセス頻度が閾値より小さいリンク情報を無効なリンク情報と判定するリンク評価部を更に備え、前記リンク決定部は、前記ページ判定部が転換型ページと判定したウェブページの中から、無効なリンク情報におけるリンク先の転換型ページに代わる転換型ページを決定し、決定した前記転換型ページをリンク先とするリンク情報を新たに生成し、前記ページ生成部は、前記リンク決定部が新たに生成した前記リンク情報を、前記無効なリンク情報に代えて、リンク元の前記集客型ページに挿入する態様とするのが好ましい。
【００１４】
上記構成によれば、リンク評価部は、リンク元である集客型ページの到達頻度が閾値より小さいリンク情報を無効なリンク情報と判定する。また、リンク評価部は、リンク先である転換型ページのアクセス頻度が閾値より小さいリンク情報を無効なリンク情報と判定する。これにより、利用者をゴールページに到達させていないリンク情報を無効なリンク情報と判定できる。リンク決定部は、ページ判定部が転換型ページと判定したウェブページの中から、無効なリンク情報におけるリンク先の転換型ページに代わる転換型ページを決定する。また、リンク決定部は、決定した転換型ページをリンク先とするリンク情報を新たに生成する。ページ生成部は、新たに生成されたリンク情報を、無効なリンク情報に代えて、リンク元の集客型ページに挿入する。これにより、利用者をゴールページに到達させていない無効なリンク情報に代わる新たなリンク情報をリンク元の集客型ページに挿入できる。
【００１５】
上記本発明におけるウェブサイト構築支援システムにおいては、前記リンク評価部は、リンク元である集客型ページの到達頻度が閾値より大きく、かつ、リンク先である転換型ページのアクセス頻度が閾値より大きいリンク情報を有効なリンク情報と判定する態様とするのが好ましい。
【００１６】
上記構成によれば、リンク評価部は、リンク元である集客型ページの到達頻度が閾値より大きく、かつ、リンク先である転換型ページのアクセス頻度が閾値より大きいリンク情報を有効なリンク情報と判定する。これにより、利用者をゴールページに到達させているリンク情報を有効なリンク情報と判定できる。
【００１７】
また、本発明におけるウェブサイト構築支援方法は、ウェブサイトを構成する複数のウェブページの中からゴールページを入力させる入力工程と、前記ウェブページへのアクセス履歴を表すアクセスログ情報を取得するアクセスログ取得工程と、前記アクセスログ取得工程で取得された前記アクセスログ情報に基づいて、前記ウェブページへのアクセス頻度を算出するアクセス頻度演算工程と、前記アクセスログ取得工程で取得された前記アクセスログ情報に基づいて、前記ゴールページへの到達頻度を算出する到達頻度演算工程と、前記アクセス頻度が境界条件より大きいウェブページを集客型ページと判定し、前記到達頻度が境界条件より大きいウェブページを転換型ページと判定するページ判定工程と、前記ページ判定工程の判定結果をページ判定結果格納部に記憶するページ判定結果格納工程と、前記ページ判定結果格納工程で前記ページ判定結果格納部に記憶された前記判定結果に基づいて、集客型ページをリンク元とし転換型ページをリンク先とするリンク情報を生成するリンク決定工程と、前記リンク決定工程で生成された前記リンク情報をリンク元の前記集客型ページに挿入するページ生成工程とを含むことを特徴とする。
【００１８】
本発明のウェブサイト構築支援方法でも、集客型ページをリンク元とし転換型ページをリンク先とするリンク情報が、リンク元の集客型ページに挿入される。これにより、集客型ページにアクセスした多数の利用者を転換型ページに誘導できるので、ゴールページに到達する利用者数を増加できる。また、上記の従来の構成のように、サイト管理者が、リンク情報を生成する必要がないので、サイト管理者の人的コストを削減できる。
【００１９】
なお、上記の各工程の手順は特に限定されるものではなく、例えば、到達頻度演算工程の後にアクセス頻度演算工程を行っても良いし、その逆であっても良い。
【００２０】
また、本発明におけるウェブサイト構築支援プログラムは、ウェブサイトを構成する複数のウェブページの中からゴールページを入力させる入力処理と、前記ウェブページへのアクセス履歴を表すアクセスログ情報を取得するアクセスログ取得処理と、前記アクセスログ取得処理で取得された前記アクセスログ情報に基づいて、前記ウェブページへのアクセス頻度を算出するアクセス頻度演算処理と、前記アクセスログ取得処理で取得された前記アクセスログ情報に基づいて、前記ゴールページへの到達頻度を算出する到達頻度演算処理と、前記アクセス頻度が境界条件より大きいウェブページを集客型ページと判定し、前記到達頻度が境界条件より大きいウェブページを転換型ページと判定するページ判定処理と、前記ページ判定処理の判定結果をページ判定結果格納部に記憶するページ判定結果格納処理と、前記ページ判定結果格納処理で前記ページ判定結果格納部に記憶された前記判定結果に基づいて、集客型ページをリンク元とし転換型ページをリンク先とするリンク情報を生成するリンク決定処理と、前記リンク決定処理で生成された前記リンク情報をリンク元の前記集客型ページに挿入するページ生成処理とをコンピュータに実行させることを特徴とする。
【００２１】
なお、本発明におけるウェブサイト構築支援プログラムは、上記のウェブサイト構築支援システム、ウェブサイト構築支援方法と同様の効果を得る。
【発明の効果】
【００２２】
以上のように、本発明のウェブサイト構築支援システム、ウェブサイト構築支援方法およびウェブサイト構築支援プログラムは、人的コストをかけることなく、利用者をゴールページに誘導するためのリンク情報をウェブページに効率的に挿入できるという効果を奏する。
【発明を実施するための最良の形態】
【００２３】
図１に示すように、ウェブサイトＷを構成する複数のウェブページの中には、多くの利用者を集める力（集客力）に優れたページ（集客型ページ）Ｐsがある。集客型ページＰsとは、例えば、「利用者の求める知識や娯楽を提供している」ページ、検索エンジンで上位にヒットするページなどである。一方、ウェブページの中には、利用者をゴールページに誘導する力（転換力）に優れたページ（転換型ページ）Ｐdがある。転換型ページＰdとは、例えば、「製品やサービスの利点を分かり易く説明している」ページ、「製品の利用場面の提案」のページなどである。
【００２４】
ここで、集客型ページＰsにアクセスした利用者を転換型ページＰdに誘導できれば、転換型ページＰdからゴールページＰgに到達する利用者の行動が期待できる。すなわち、ゴールページＰgにアクセスする利用者数を増やすことができるので、ウェブサイトＷのビジネス効果の向上が期待できる。
【００２５】
例えば、図２に示すように、ウェブサイトＷは、複数のウェブページがツリー構造で構築されているものとする。また、集客型ページＰsとして、「ＳＯＸ法対策入門セミナー」のページが、転換型ページＰdとして、「ＳＯＸ法対応ソリューションの導入メリット」のページが、ゴールページＰgとして、「ＳＯＸ法対応ソリューションのカタログのダウンロード」のページが該当しているものとする。ここで、集客型ページＰsである「ＳＯＸ法対策入門セミナー」から転換型ページＰdである「ＳＯＸ法対応ソリューションの導入メリット」へ利用者を誘導できれば、転換型ページＰdである「ＳＯＸ法対応ソリューションの導入メリット」からゴールページＰgである「ＳＯＸ法対応ソリューションのカタログのダウンロード」に到達する利用者数を増やすことができる。すなわち、ゴールページＰgである「ＳＯＸ法対応ソリューションのカタログのダウンロード」に利用者を誘導できれば、カタログのダウンロード数の増加、商談への発展などのビジネス効果の向上が期待できる。
【００２６】
そこで、本発明者は、ウェブサイトＷの複数のウェブページが、集客型ページであるか、転換型ページであるのかを分析し、集客型ページＰsである「ＳＯＸ法対策入門セミナー」をリンク元とし、転換型ページＰdである「ＳＯＸ法対応ソリューションの導入メリット」をリンク先とするリンク情報Ｌを生成し、このリンク情報Ｌをリンク元である「ＳＯＸ法対策入門セミナー」のページに挿入できれば、集客型ページＰsである「ＳＯＸ法対策入門セミナー」から転換型ページＰdである「ＳＯＸ法対応ソリューションの導入メリット」へ利用者を効果的かつ容易に誘導することができるようになるとの知見を得た。
【００２７】
以下、本発明のより具体的な実施形態について図面を参照しながら詳細に説明する。
【００２８】
（実施の形態１）
図３は、本実施形態に係るネットワークシステム１の概略構成を示すブロック図である。すなわち、本実施形態に係るネットワークシステム１は、利用者端末２、ウェブサーバ３、および、ウェブサイト構築支援システム４を備えている。利用者端末２とウェブサーバ３とは、インターネットＮを介して接続されている。ウェブサイト構築支援システム４とウェブサーバ３とは、イーサネット（登録商標）を介して接続されている。ここで、利用者端末２は、ＨＴＭＬ（Hyper Text Markup Language）からなるウェブページを表示（閲覧）可能な端末である。ウェブサーバ３は、ウェブページを蓄積し、例えばブラウザなどの閲覧手段からの要求に応じて、ウェブページを送信するサーバである。ウェブサイト構築支援システム４は、利用者をゴールページに誘導するためのリンク情報（以降、「気付きリンク」と称する）を生成し、気付きリンクをウェブページに挿入するシステムである。なお、図３では、説明の簡略化のために、利用者端末２、ウェブサーバ３、および、ウェブサイト構築支援システム４を１台ずつ図示したが、ネットワークシステム１を構成する利用者端末２、ウェブサーバ３、および、ウェブサイト構築支援システム４の数は任意である。また、ネットワークシステム１上に、例えばＤＮＳ（Domain Name System）サーバやＤＨＣＰ（Dynamic Host Configuration Protocol）サーバなどが存在していても良い。
【００２９】
以下では、ウェブサイト構築支援システム４の詳細な構成について説明する前に、ネットワークシステム１の全体構成について簡単に説明する。
【００３０】
利用者端末２は、主にパーソナルコンピュータなどによって構成され、閲覧手段であるブラウザを備えている。利用者がブラウザを起動すると、利用者端末２は、ウェブサーバ３にＨＴＴＰ（Hyper Text Transfer Protocol）リクエストを送信する。ウェブサーバ３は、利用者端末２からＨＴＴＰリクエストを受け付けると、ＨＴＴＰリクエストの要求に従って、ウェブページのＨＴＭＬをＨＴＴＰレスポンスとして利用者端末２に返す。利用者端末２は、受け取ったウェブページを表示する。
【００３１】
ウェブサーバ３は、ページ格納部３０、および、アクセスログ情報格納部３１を備えている。
【００３２】
ページ格納部３０は、ウェブページのＨＴＭＬを記憶する。このＨＴＭＬは、文章、画像、音声、動画、他のＨＴＭＬへのハイパーリンク、レイアウト情報などから構成されている。また、ページ格納部３０は、複数のウェブページをウェブページ群として記憶する。このウェブページ群がウェブサイトを形成する。
【００３３】
アクセスログ情報格納部３１は、ウェブページにおける利用者端末２のアクセス履歴を表すアクセスログ情報を記憶する。アクセスログ情報格納部３１は、例えばハードディスクの一領域として形成される。すなわち、利用者が、利用者端末２のブラウザ上で、ウェブサーバ３が提供するウェブページをアクセスすると、ブラウザからウェブサーバ３へＨＴＴＰリクエストが送信される。ウェブサーバ３は、このＨＴＴＰリクエストに基づいて、１件のログデータを生成する。このため、アクセスログ情報は、図４に示すように、複数のログデータ３１ａ、３１ｂ、３１ｃ・・・の集合として形成される。また、アクセスログ情報は、例えば、アクセスして来た利用者端末２のクライアント名３１１と、アクセス日時３１２と、リクエストされたファイル名３１３と、ＨＴＴＰ状態コード３１４と、直前にアクセスしたページのＵＲＬ（Uniform Resource Locator）を表すリファラー３１５と、利用者端末２の環境を表すユーザ環境データ３１６などを含む。なお、図４は、ウェブサーバソフトウェアとして今日広く普及しているApacheによるアクセスログ情報の一例を示したものである。しかし、アクセスログ情報の態様は、図４の具体例のみに限定されるものではない。アクセスログ情報に含まれるデータの内容やアクセスログ情報のフォーマットは、ウェブサーバ３を構築するウェブサーバソフトウェアの種類や、このソフトウェアにおける動作パラメータの設定内容に応じて、任意である。
【００３４】
ウェブサイト構築支援システム４は、入力部４０、リンクフォーマット格納部４１、ゴールページ格納部４２、アクセスログ取得部４３、演算部４４、ページ判定部４５、ページ判定結果格納部４６、リンク決定部４７、リンク格納部４８、ページ生成部４９、および、リンク評価部５０を備えている。
【００３５】
入力部４０は、ウェブサイトを構成する複数のウェブページの中から１枚のウェブページをＵＲＬによりサイト管理者に特定させるとともに、このウェブページに挿入する気付きリンクの個数や、気付きリンクの座標データである挿入位置を、サイト管理者に入力させる。また、入力部４０は、ウェブサイトを構成する複数のウェブページの中から利用者を最終的に誘導したいゴールページのＵＲＬをサイト管理者に入力させる。入力部４０は、１つのゴールページに限らず、複数のゴールページのＵＲＬをサイト管理者に入力させることができる。なお、入力部４０は、キーボード、マウス、テンキー、タブレット、タッチパネル、音声認識装置などの任意の入力デバイスから構成されている。
【００３６】
リンクフォーマット格納部４１は、複数のウェブページのそれぞれに対応させて、ウェブページに挿入される気付きリンクの個数、および、気付きリンクの座標データである挿入位置を記憶する。
【００３７】
ゴールページ格納部４２は、入力部４０から入力されたゴールページのＵＲＬを記憶する。また、ゴールページ格納部４２は、入力部４０から複数のゴールページが入力されると、複数のゴールページのＵＲＬを記憶する。なお、ゴールページとは、例えば、ビジネスに貢献する（企業の利益に貢献する）ページであって、例えば、「製品紹介」のページ、「カタログや資料のダウンロード」のページ、「体験版のダウンロード」のページ、「購入手続きの完了」のページ、「営業への問い合わせ」のページなどが該当する。
【００３８】
アクセスログ取得部４３は、ウェブサーバ３のアクセスログ情報格納部３１に記憶されているアクセスログ情報を取得する。アクセスログ取得部４３は、取得したアクセスログ情報を後述する演算部４４に出力する。なお、アクセスログ情報格納部３１に記憶されているアクセスログ情報の取得は、イーサネット（登録商標）を介したオンラインでの取得であっても良いし、ＤＶＤ、ＭＯ、ＣＤ、フレキシブルディスク、磁気テープなどの記録媒体を介したオフラインでの取得であっても良い。また、アクセスログ情報をオンラインで取得する場合、アクセスログ情報がウェブサーバ３から逐次転送される態様であっても良いし、所定の期間分あるいは所定量のアクセスログ情報がウェブサーバ３から纏めて転送される態様であっても良い。また、アクセスログ取得部４３は、取得したアクセスログ情報を例えばハードディスクなどの記憶装置に記憶させても良い。
【００３９】
演算部４４は、アクセスログ取得部４３が取得したアクセスログ情報に基づいて、ウェブページのアクセス頻度および到達頻度を算出する。このため、演算部４４は、アクセス頻度演算部４４ａ、および、到達頻度演算部４４ｂを含む。
【００４０】
アクセス頻度演算部４４ａは、ウェブページへのアクセス頻度を算出する。アクセス頻度演算部４４ａは、例えば、ページビューに基づいてアクセス頻度を算出する。すなわち、利用者端末２のブラウザからウェブサーバ３へＨＴＴＰリクエストが送信される毎に、１アクセス（１ページビュー）と算出する。
【００４１】
また、アクセス頻度を算出する方法としては、上記のページビューの他に、セッション数に基づく算出方法がある。すなわち、１つのウェブサイト内において、利用者端末２のブラウザからウェブサーバ３への、所定時間（一般に３０〜４０分）以上の間隔を空けない一連のＨＴＴＰリクエストを、１アクセス（１セッション）と算出する。セッション数に基づいてアクセス頻度を算出すると、ページビューに基づいてアクセス頻度を算出するよりも、利用者のアクセス状況をより正確に反映したアクセス頻度が算出できる。
【００４２】
さらに、アクセス頻度を算出する方法としては、上記のページビュー、セッション数の他に、ユニークユーザ数に基づく算出方法もある。すなわち、所定時間の間に、利用者端末２のブラウザからウェブサーバ３へＨＴＴＰリクエストが何回送信されようとも、１アクセス（１ユニークユーザ）と算出する。なお、ユニークユーザであるか否かは、利用者端末２のクライアント名（ＩＰアドレス）やクッキー情報などを利用して判断する。
【００４３】
到達頻度演算部４４ｂは、ゴールページへの到達頻度を算出する。また、到達頻度演算部４４ｂは、ゴールページ格納部４２に複数のゴールページのＵＲＬが記憶されている場合、それぞれのゴールページを対象として到達頻度を算出する。ここで、到達頻度演算部４４ｂは、例えば、セッション数に基づいて到達頻度を算出する。すなわち、到達頻度演算部４４ｂは、セッション数に基づいて算出したウェブページへのアクセス頻度と、当該ウェブページにアクセスした後、ゴールページへの到達数との割合に基づいて到達頻度を算出する。なお、到達頻度演算部４４ｂは、相関係数やＴＤ学習（Temporal Difference Learning）などを用いて到達頻度を算出しても良い。
【００４４】
ページ判定部４５は、アクセス頻度演算部４４ａで算出したウェブページのアクセス頻度を境界条件と比較し、アクセス頻度が境界条件より大きいウェブページを「集客型ページ」と判定する。また、ページ判定部４５は、到達頻度演算部４４ｂで算出したウェブページの到達頻度を境界条件と比較し、到達頻度が境界条件より大きいウェブページを「転換型ページ」と判定する。すなわち、「集客型ページ」は、多くの利用者を集める力（集客力）に優れたページである。「転換型ページ」は、利用者をゴールページに誘導する力（転換力）に優れたページである。
【００４５】
ページ判定部４５は、例えば、図５に示すように、アクセス頻度である集客力Ｓと到達頻度である転換力Ｄで表される二次元空間を、アクセス頻度の境界条件（Ｓａ）と到達頻度の境界条件（Ｄａ）とによって４つの領域６１〜６４に分割し、ウェブページが、４つの領域６１〜６４のどの領域に属するのかを求める。ここで、Ｓ≧ＳａかつＤ≧Ｄａである領域６１に属するウェブページを「集客転換型ページ」とする。Ｓ≧ＳａかつＤ＜Ｄａである領域６２に属するウェブページを「集客型ページ」とする。Ｓ＜ＳａかつＤ≧Ｄａである領域６３に属するウェブページを「転換型ページ」とする。また、Ｓ＜ＳａかつＤ＜Ｄａである領域６４に属するウェブページを「未知数型ページ」とする。なお、アクセス頻度に対する境界条件（Ｓａ）および到達頻度に対する境界条件（Ｄａ）は、予め定められた値であっても良いし、サイト管理者が、入力部４０により、境界条件（Ｓａ、Ｄａ）を入力し、境界条件（Ｓａ、Ｄａ）を動的に変更できるようにしても良い。
【００４６】
ページ判定結果格納部４６は、ページ判定部４５の判定結果を記憶する。すなわち、ページ判定結果格納部４６は、ウェブページが、「集客転換型ページ」、「集客型ページ」、「転換型ページ」、「未知数型ページ」のどのページに属するのかという判定結果を記憶する。このため、例えば、図６に示すように、ページ判定結果格納部４６は、ウェブページのＵＲＬとウェブページの判定結果とで表される複数のレコード４６ａ、４６ｂ、４６ｃ・・・を記憶する。ここで、判定結果が「１」を表すウェブページを「集客転換型ページ」とする。判定結果が「２」を表すウェブページを「集客型ページ」とする。判定結果が「３」を表すウェブページを「転換型ページ」とする。また、判定結果が「４」を表すウェブページを「未知数型ページ」とする。
【００４７】
リンク決定部４７は、ページ判定結果格納部４６に記憶された判定結果に基づいて、「集客型ページ」をリンク元とし「転換型ページ」をリンク先とする気付きリンクを生成する。すなわち、リンク決定部４７は、リンクフォーマット格納部４１に記憶された気付きリンクの個数を読み出し、読み出した個数の分だけ、ページ判定部４５が「転換型ページ」と判定したウェブページの中からリンク先となる「転換型ページ」を例えば乱数などに基づいてランダムに決定する。リンク決定部４７がリンク先となる「転換型ページ」をランダムに決定するので、サイト管理者が考え付かない有効な気付きリンクが生成される場合がある。なお、リンク決定部４７は、「集客転換型ページ」をリンク元としても良いし、リンク先としても良い。
【００４８】
一例として、図７に示すように、ページ判定部４５により判定された結果、ページＳ１〜Ｓ３が「集客型ページ」と判定されたものとする。また、ページＤ１〜Ｄ４が「転換型ページ」であると判定されたものとする。すなわち、ページ判定結果格納部４６には、ページＳ１〜Ｓ３が「集客型ページ」を表す判定結果「２」、ページＤ１〜Ｄ４が「転換型ページ」を表す判定結果「３」が記憶されているものとする。また、リンクフォーマット格納部４１には、ページＳ１の気付きリンクの個数が「２」、ページＳ２の気付きリンクの個数が「１」、ページＳ３の気付きリンクの個数が「１」と記憶されているものとする。
【００４９】
ここで、リンク決定部４７は、リンク元のページＳ１に挿入される気付きリンクの個数「２」に基づいて、ページ判定部４５が「転換型ページ」と判定したウェブページの中からランダムに決定した２枚のページ、例えば、ページＤ２およびページＤ４を、リンク先の「転換型ページ」として決定する。リンク決定部４７は、ページＳ１をリンク元としページＤ２をリンク先とする気付きリンクＡ、および、ページＳ１をリンク元としページＤ４をリンク先とする気付きリンクＢを生成する。また、リンク決定部４７は、ページＳ２をリンク元としページＤ１をリンク先とする気付きリンクＣ、および、ページＳ３をリンク元としページＤ３をリンク先とする気付きリンクＤを生成する。なお、リンク決定部４７は、生成した気付きリンクに関する情報を、後述するリンク格納部４８に書き込む。
【００５０】
リンク格納部４８は、リンク決定部４７が生成した気付きリンクに関する情報を記憶する。リンク格納部４８は、気付きリンクに関する情報として、例えば、図８に示すように、気付きリンクの名称４８１、リンク元のページ４８２、リンク先のページ４８３、後述するリンク評価部５０の評価結果４８４、および、この評価結果４８４を書き込んだ日時４８５を記憶する。
【００５１】
ページ生成部４９は、リンク格納部４８に記憶されている気付きリンクに関する情報に基づいて、リンク元のページに気付きリンクを挿入する。ここで、ページ生成部４９は、リンクフォーマット格納部４１に記憶された気付きリンクの挿入位置に従って、リンク元のページに気付きリンクを挿入する。なお、気付きリンクは、利用者端末２のブラウザ上では、例えばバナーなどの画像として表示されるが、これに限定されるものではない。例えば、気付きリンクは、リンク先のページのタイトルを表した文字情報で表示されていても良いし、サイト管理者が所望する文字情報で表示されていても良い。この場合、入力部４０は、サイト管理者に所望の文字情報を入力させる。
【００５２】
一例として、ページ生成部４９は、図８に示すリンク格納部４８から気付きリンクＡおよび気付きリンクＢに関する情報を読み出す。また、ページ生成部４９は、リンクフォーマット格納部４１に記憶された気付きリンクＡおよび気付きリンクＢの挿入位置を読み出す。ページ生成部４９は、読み出した挿入位置に従って、リンク元の「ページＳ１」に、気付きリンクＡおよび気付きリンクＢを挿入する。ページ生成部４９は、気付きリンクＢ〜Ｄについても、上記の気付きリンクＡおよび気付きリンクＢと同様に、リンク元のページに、気付きリンクＢ〜Ｄを挿入する。
【００５３】
ページ生成部４９は、気付きリンクを挿入したウェブページのＨＴＭＬをウェブサーバ３に送信する。ウェブサーバ３は、送信されたウェブページのＨＴＭＬをページ格納部３０に書き込む。
【００５４】
一例として、気付きリンクを挿入したウェブページは、利用者端末２のブラウザ上では、例えば、図９に示すような態様で表示される。すなわち、リンク元の「ページＳ１」に、気付きリンクＡに対応する「ＳＯＸ法対応ソリューションの導入メリット」ＬＡ、および、気付きリンクＢに対応する「ＳＯＸ法対応ソリューションの活用事例」ＬＢが表示される。「ＳＯＸ法対応ソリューションの導入メリット」ＬＡ、および、「ＳＯＸ法対応ソリューションの活用事例」ＬＢは、リンク先のページのタイトルを表した文字情報で表示されている。ここで、「ＳＯＸ法対応ソリューションの導入メリット」ＬＡをクリックすると、「ＳＯＸ法対応ソリューションの導入メリット」のページに遷移する。また、「ＳＯＸ法対応ソリューションの活用事例」ＬＢをクリックすると、「ＳＯＸ法対応ソリューションの活用事例」のページに遷移する。
【００５５】
リンク評価部５０は、ページ判定部４５により判定された結果と、ページ判定結果格納部４６に記憶されている前回の判定結果とに基づいて、リンク格納部４８に記憶されている気付きリンクが、利用者をゴールページへ到達させている有効な気付きリンクであるか否かを評価する。リンク評価部５０は、例えば、一定期間毎（例えば、１週間毎、１ヶ月毎）あるいはウェブページが更新される毎に、リンク格納部４８に記憶されている気付きリンクが、有効な気付きリンクであるか否かを評価する。
【００５６】
また、リンク評価部５０は、ページ判定部４５が「集客型ページ」および「転換型ページ」と判定する境界条件（Ｓａ、Ｄａ）を閾値として有効な気付きリンクであるか否かを評価する。これにより、ページ判定部４５によるページ判定とリンク評価部５０による気付きリンクの評価とが同一の尺度に基づいて行われるので、ウェブサイト構築支援システム４のシステム構成を簡素化できる。
【００５７】
すなわち、リンク評価部５０は、リンク元である「集客型ページ」の到達頻度が閾値より大きく、かつ、リンク先である「転換型ページ」のアクセス頻度が閾値より大きい気付きリンクを有効な気付きリンクと判定する。一方、リンク評価部５０は、リンク元である「集客型ページ」の到達頻度が閾値より小さい気付きリンク、または、リンク先である「転換型ページ」のアクセス頻度が閾値より小さい気付きリンクを無効な気付きリンクと判定する。
【００５８】
より詳細には、ページ判定部４５による判定の結果、例えば、図１０に示すように、リンク元のページＳ１が「集客転換型ページ」と判定されたものとする。リンク先のページＤ２が「集客転換型ページ」と判定されたものとする。リンク元のページＳ２、Ｓ３が「集客型ページ」と判定されたものとする。リンク先のページＤ１、Ｄ３、Ｄ４が「転換型ページ」と判定されたものとする。また、ページ判定結果格納部４６には、前回の判定結果として、ページＳ１〜Ｓ３が「集客型ページ」を表す判定結果「２」、ページＤ１〜Ｄ４が「転換型ページ」を表す判定結果「３」が記憶されている。
【００５９】
ここで、リンク評価部５０は、図８に示すリンク格納部４８から気付きリンクＡ〜Ｄを読み出す。リンク評価部５０は、ページ判定部４５により判定された結果と、ページ判定結果格納部４６に記憶されている前回の判定結果とに基づいて、読み出した気付きリンクＡ〜Ｄが有効な気付きリンクであるか否かを評価する。図１０の例では、リンク元のページＳ１が「集客型ページ」から「集客転換型ページ」に変化し、リンク先のページＤ２が「転換型ページ」から「集客転換型ページ」に変化しているので、リンク評価部５０は、気付きリンクＡを有効な気付きリンクと判定する。また、リンク元のページＳ１が「集客型ページ」から「集客転換型ページ」に変化しているが、リンク先のページＤ４が前回の判定と同じく「転換型ページ」であるので、リンク評価部５０は、気付きリンクＢを無効な気付きリンクと判定する。また、リンク元のページＳ２が前回の判定と同じく「集客型ページ」であり、リンク先のページＤ１が前回の判定と同じく「転換型ページ」であるので、リンク評価部５０は、気付きリンクＣを無効な気付きリンクと判定する。さらに、リンク元のページＳ３が前回の判定と同じく「集客型ページ」であり、リンク先のページＤ３が前回の判定と同じく「転換型ページ」であるので、リンク評価部５０は、気付きリンクＤを無効な気付きリンクと判定する。
【００６０】
リンク評価部５０が気付きリンクを評価した後、リンク評価部５０は、気付きリンクの評価結果（判定結果）をリンク格納部４８に書き込む。例えば、図８に示すように、リンク評価部５０は、気付きリンクＡを有効な気付きリンクと判定しているので、リンク格納部４８の評価結果４８４として、有効であることを示す情報“○”を書き込む。また、リンク評価部５０は、気付きリンクＢ〜Ｄを無効な気付きリンクと判定しているので、リンク格納部４８の評価結果４８４として、無効であることを示す情報“×”をそれぞれ書き込む。さらに、リンク評価部５０は、リンク格納部４８の評価結果を書き込んだ日時４８５として、“５／１２／１０：０５：２１”をそれぞれ書き込む。すなわち、５月１２日の１０時０５分２１秒に評価結果が書き込まれたことを表している。
【００６１】
リンク決定部４７は、ページ判定部４５が「転換型ページ」と判定したウェブページの中から、無効な気付きリンクにおけるリンク先の「転換型ページ」に代わる「転換型ページ」を決定し、決定した「転換型ページ」をリンク先とする気付きリンクを新たに生成する。
【００６２】
一例として、リンク決定部４７は、リンク格納部４８から気付きリンクＡの評価結果４８４“○”を読み出す。また、リンク決定部４７は、リンク格納部４８から気付きリンクＢ〜Ｄの評価結果４８４“×”をそれぞれ読み出す。リンク決定部４７は、読み出した評価結果４８４が“×”に対応する気付きリンクＢ〜Ｄに代えて、気付きリンクを新たに生成する。
【００６３】
すなわち、リンク決定部４７は、気付きリンクＢにおけるリンク先のページＤ４に代えて、ページ判定部４５が「転換型ページ」と判定したウェブページの中から、新たなリンク先となる「転換型ページ」を例えばランダムに決定し、決定した「転換型ページ」をリンク先とする気付きリンクを新たに生成する。
【００６４】
ここで、リンク決定部４７は、リンク格納部４８に記憶されている気付きリンクＢのレコードを削除し、新たに生成した気付きリンクに関する情報をリンク格納部４８に書き込む。また、リンク決定部４７は、気付きリンクＣおよび気付きリンクＤについても、気付きリンクＢと同様に、リンク格納部４８に記憶されている気付きリンクＣおよび気付きリンクＤのレコードを削除し、新たに生成した気付きリンクに関する情報をリンク格納部４８にそれぞれ書き込む。
【００６５】
ところで、上記では、リンク決定部４７が、リンク格納部４８に記憶されている無効な気付きリンク（上記の例では、気付きリンクＢ〜Ｄ）のレコードを削除する例について説明したが、削除しなくとも良い。この場合、リンク格納部４８は、リンク評価部５０による気付きリンクの評価結果が蓄積される。これにより、無効な気付きリンクにおけるリンク先の「転換型ページ」であっても、例えば所定時間が経過した後は、この「転換型ページ」をリンク先の「転換型ページ」の候補に復活させるなど、木目細かい制御ができる。ここで、所定時間が経過したか否かは、リンク格納部４８の評価結果を書き込んだ日時４８５を読み出すことにより、判定される。
【００６６】
ページ生成部４９は、リンク決定部４７がリンク格納部４８に新たに書き込んだ気付きリンクに関する情報に基づいて、リンク決定部４７が新たに生成した気付きリンクを、無効な気付きリンクに代えて、リンク元のページに挿入する。ここで、ページ生成部４９は、リンクフォーマット格納部４１に記憶された気付きリンクの挿入位置に従って、リンク元のページに新たに生成した気付きリンクを挿入する。ページ生成部４９は、気付きリンクを挿入したウェブページのＨＴＭＬをウェブサーバ３に送信する。ウェブサーバ３は、送信されたウェブページのＨＴＭＬをページ格納部３０に書き込む。すなわち、ページ格納部３０のウェブページは更新される。
【００６７】
ところで、上記のウェブサイト構築支援システム４は、パーソナルコンピュータなどの任意のコンピュータにプログラムをインストールすることによっても実現される。すなわち、上記の入力部４０、アクセスログ取得部４３、演算部４４、ページ判定部４５、リンク決定部４７、ページ生成部４９、および、リンク評価部５０は、コンピュータのＣＰＵがこれらの機能を実現するプログラムに従って動作することによって具現化される。したがって、入力部４０、アクセスログ取得部４３、演算部４４、ページ判定部４５、リンク決定部４７、ページ生成部４９、および、リンク評価部５０の機能を実現するためのプログラムまたはそれを記録した記録媒体も、本発明の一実施形態である。また、リンクフォーマット格納部４１、ゴールページ格納部４２、ページ判定結果格納部４６、および、リンク格納部４８は、コンピュータの内蔵記憶装置またはこのコンピュータからアクセス可能な記憶装置によって具現化される。
【００６８】
次に、上記の構成に係るウェブサイト構築支援システム４によるウェブサイト構築支援処理について、図面を参照しながら詳細に説明する。
【００６９】
図１１は、ウェブサイト構築支援システム４によるウェブサイト構築支援処理の概要を示すフローチャートである。すなわち、図１１に示すように、ウェブサイト構築支援システム４は、まず、入力部４０より、ウェブページの中から１枚のウェブページをＵＲＬにより特定するとともに、このウェブページに挿入する気付きリンクの個数や、気付きリンクの座標データである挿入位置を入力する（工程Ｏｐ１）。入力された気付きリンクの個数および気付きリンクの挿入位置は、リンクフォーマット格納部４１に記憶される。また、入力部４０より、ゴールページのＵＲＬを入力する（工程Ｏｐ２）。入力されたゴールページのＵＲＬは、ゴールページ格納部４２に記憶される。
【００７０】
次に、アクセスログ取得部４３は、ウェブサーバ３のアクセスログ情報格納部３１に記憶されているアクセスログ情報を取得する（工程Ｏｐ３）。アクセス頻度演算部４４ａは、アクセスログ取得部４３が取得したアクセスログ情報に基づいて、ウェブページへのアクセス頻度を算出する（工程Ｏｐ４）。到達頻度演算部４４ｂは、アクセスログ取得部４３が取得したアクセスログ情報に基づいて、ゴールページへの到達頻度を算出する（工程Ｏｐ５）。
【００７１】
ここで、工程Ｏｐ５における到達頻度演算部４４ｂの処理の一例について、図１２を参照しながら説明する。
【００７２】
図１２は、到達頻度演算部４４ｂによる到達頻度を算出する一例を示すフローチャートである。図１２に示すように、到達頻度演算部４４ｂは、まず、到達頻度の算出対象であるウェブページにアクセスしたセッション数を算出する（工程Ｏｐ５１）。ここでは、算出したセッション数をＳｔとする。次に、算出対象であるウェブページにアクセスした後、ゴールページに到達したセッション数を算出する（工程Ｏｐ５２）。すなわち、工程Ｏｐ５１において算出したセッション数Ｓｔの中から、利用者がゴールページに到達したセッション数を算出する。ここでは、算出したセッション数をＳｔｇとする。そして、工程Ｏｐ５１において算出したセッション数Ｓｔと、工程Ｏｐ５２において算出したセッション数Ｓｔｇとの割合に基づいて、到達頻度を算出する（工程Ｏｐ５３）。すなわち、到達頻度は、Ｓｔｇ／Ｓｔの計算式により算出される。
【００７３】
ページ判定部４５は、工程Ｏｐ４において算出したアクセス頻度が境界条件（Ｓａ）より大きいウェブページを「集客型ページ」と判定し、工程Ｏｐ５において算出した到達頻度が境界条件（Ｄａ）より大きいウェブページを「転換型ページ」と判定する（図１１の工程Ｏｐ６）。ページ判定部４５が判定した結果は、ページ判定結果格納部４６に記憶される。リンク決定部４７は、ページ判定結果格納部４６に記憶された判定結果に基づいて、「集客型ページ」をリンク元とし「転換型ページ」をリンク先とする気付きリンクを生成する（工程Ｏｐ７）。生成した気付きリンクに関する情報は、リンク格納部４８に記憶される。
【００７４】
ページ生成部４９は、リンク格納部４８に記憶されている気付きリンクに関する情報に基づいて、リンク元のページに気付きリンクを挿入する（工程Ｏｐ８）。ここで、ページ生成部４９は、リンクフォーマット格納部４１に記憶された気付きリンクの挿入位置に従って、リンク元のページに気付きリンクを挿入する。ページ生成部４９は、気付きリンクを挿入したウェブページのＨＴＭＬをウェブサーバ３に送信する。送信されたウェブページのＨＴＭＬは、ウェブサーバ３のページ格納部３０に記憶される。
【００７５】
そして、工程Ｏｐ８の後、例えば、一定期間毎（例えば、１週間毎、１ヶ月毎）あるいはウェブページが更新される毎に、リンク格納部４８に記憶されている気付きリンクが、利用者をゴールページへ到達させている有効な気付きリンクであるか否かを評価する（工程Ｏｐ９）。
【００７６】
ここで、工程Ｏｐ９における気付きリンクの評価の処理の一例について、図１３を参照しながら説明する。
【００７７】
図１３は、気付きリンクの評価の処理の一例を示すフローチャートである。図１３に示すように、アクセスログ取得部４３は、ウェブサーバ３のアクセスログ情報格納部３１からアクセスログ情報を取得する（工程Ｏｐ９１）。アクセス頻度演算部４４ａは、取得したアクセスログ情報に基づいて、アクセス頻度を算出し（工程Ｏｐ９２）、到達頻度演算部４４ｂは、取得したアクセスログ情報に基づいて、到達頻度を算出する（工程Ｏｐ９３）。ページ判定部４５は、ウェブページのアクセス頻度が境界条件（Ｓａ）より大きいウェブページを「集客型ページ」と判定し、ウェブページの到達頻度が境界条件（Ｄａ）より大きいウェブページを「転換型ページ」と判定する（工程Ｏｐ９４）。なお、工程Ｏｐ９１〜工程Ｏｐ９４は、図１１の工程Ｏｐ３〜Ｏｐ６と同じ工程である。
【００７８】
次に、リンク評価部５０は、工程Ｏｐ９４において判定された結果と、ページ判定結果格納部４６に記憶されている前回の判定結果とに基づいて、リンク格納部４８に記憶されている気付きリンクが、利用者をゴールページへ到達させている有効な気付きリンクであるか否かを評価する。すなわち、リンク元のページおよびリンク先のページが「集客転換型ページ」に変化していれば（工程Ｏｐ９５にてＹＥＳ）、リンク評価部５０は、有効な気付きリンクと判定する（工程Ｏｐ９６）。一方、リンク元のページおよびリンク先のページが「集客転換型ページ」に変化していなければ（工程Ｏｐ９５にてＮｏ）、リンク評価部５０は、無効な気付きリンクと判定する（工程Ｏｐ９７）。気付きリンクの評価結果（判定結果）は、リンク格納部４８に記憶される。
【００７９】
リンク決定部４７は、工程Ｏｐ９６において有効と判定された気付きリンクを維持する（工程Ｏｐ９８）。また、リンク決定部４７は、ページ判定部４５が「転換型ページ」と判定したウェブページの中から、工程Ｏｐ９７において無効と判定された気付きリンクにおけるリンク先の「転換型ページ」に代わる「転換型ページ」を決定し、決定した「転換型ページ」をリンク先とする気付きリンクを新たに生成する（工程Ｏｐ９９）。新たに生成した気付きリンクに関する情報は、リンク格納部４８に記憶される。
【００８０】
ページ生成部４９は、リンク決定部４７がリンク格納部４８に新たに書き込んだ気付きリンクに関する情報に基づいて、リンク決定部４７が新たに生成した気付きリンクを、無効な気付きリンクに代えて、リンク元のページに挿入する（工程Ｏｐ１００）。ここで、ページ生成部４９は、リンクフォーマット格納部４１に記憶された気付きリンクの挿入位置に従って、リンク元のページに新たに生成した気付きリンクを挿入する。ページ生成部４９は、気付きリンクを挿入したウェブページのＨＴＭＬをウェブサーバ３に送信する。送信されたウェブページのＨＴＭＬは、ウェブサーバ３のページ格納部３０に記憶される。
【００８１】
以上のように、本実施形態に係るウェブサイト構築支援システム４によれば、集客型ページをリンク元とし転換型ページをリンク先とする気付きリンクが、リンク元の集客型ページに挿入される。これにより、集客型ページにアクセスした多数の利用者を転換型ページに誘導できるので、ゴールページに到達する利用者数を増加できる。また、上記の従来の構成のように、サイト管理者が、気付きリンクを生成する必要がないので、サイト管理者の人的コストを削減できる。
【００８２】
なお、上記した具体例は、本発明にかかるウェブサイト構築支援システムの好適な実施形態に過ぎず、例えば、到達頻度演算部４４ｂによる到達頻度の算出処理や、リンク決定部４７によるリンク先の決定方法などについて、種々の変更が可能である。
【００８３】
一例として、到達頻度演算部４４ｂによる到達頻度の算出処理（図１１の工程Ｏｐ５）の他の態様を、図１４に示す。図１４に示す手順は、図１２に示した手法の代替的手法である。図１４に示す手順では、到達頻度演算部４４ｂは、まず、到達頻度の算出対象であるウェブページにアクセスしたセッション数を算出する（工程Ｏｐ５０１）。ここでは、算出したセッション数をＳｔとする。次に、算出対象であるウェブページにアクセスした後、ゴールページに到達したセッション数を算出する（工程Ｏｐ５０２）。すなわち、工程Ｏｐ５０１において算出したセッション数Ｓｔの中から、利用者がゴールページに到達したセッション数を算出する。ここでは、算出したセッション数をＳｔｇとし、それぞれのセッションをセッション（ｎ）[１≦ｎ≦Ｓｔｇ]とする。なお、工程Ｏｐ５０１および工程Ｏｐ５０２は、図１２の工程Ｏｐ５１および工程Ｏｐ５２と同じ工程である。
【００８４】
次に、到達頻度演算部４４ｂは、変数ｎを“１”に初期化する（工程Ｏｐ５０３）。到達頻度演算部４４ｂは、セッション（ｎ）[１≦ｎ≦Ｓｔｇ]におけるウェブページにアクセスした後、ゴールページに到達するまでに、他のウェブページにアクセスした遷移数ｄ（ｎ）を算出する（工程Ｏｐ５０４）。到達頻度演算部４４ｂは、工程Ｏｐ５０４において算出した遷移数ｄ（ｎ）に基づいて、Ｖ（ｎ）を算出する（工程Ｏｐ５０５）。Ｖ（ｎ）は、Ｖ（ｎ）＝γd(n)の計算式により算出される。ここでは、γを割引率とし、割引率γは、０＜γ≦１の値とする。これにより、遷移数ｄ（ｎ）が増加するに従って、Ｖ（ｎ）は減少する。
【００８５】
到達頻度演算部４４ｂは、全てのセッション（ｎ）[１≦ｎ≦Ｓｔｇ]について、Ｖ（ｎ）の算出が終了（ｎ＝Ｓｔｇ）していれば（工程Ｏｐ５０６にてＹＥＳ）、到達頻度を算出する（工程Ｏｐ５０７）。すなわち、到達頻度演算部４４ｂは、工程Ｏｐ５０１において算出したセッション数Ｓｔと、工程Ｏｐ５０５において算出したＶ（１）、Ｖ（２）、・・・Ｖ（ｎ）との割合に基づいて、到達頻度を算出する。すなわち、到達頻度は、Ｖ（１）、Ｖ（２）、・・・Ｖ（ｎ）／Ｓｔの計算式により算出される。
【００８６】
また、到達頻度演算部４４ｂは、全てのセッション（ｎ）[１≦ｎ≦Ｓｔｇ]について、Ｖ（ｎ）の算出が終了（ｎ＝Ｓｔｇ）していなければ（工程Ｏｐ５０６にてＮＯ）、到達頻度演算部４４ｂは、変数ｎに“１”を加算（ｎ＝ｎ＋１）し（工程Ｏｐ５０８）、工程Ｏｐ５０４および工程Ｏｐ５０５を繰り返す。
【００８７】
以上に説明したとおり、図１４に示した手順によっても、到達頻度演算部４４ｂによる到達頻度の算出が可能である。すなわち、図１４に示した手順では、利用者が算出対象であるウェブページにアクセスした後、ゴールページに到達するまでに、他のウェブページにアクセスした遷移数ｄ（ｎ）が増加する分だけ、到達頻度から割り引くことができる。これにより、図１２に示した手順に比べて、利用者の到達状況をより正確に反映した到達頻度が算出できる。
【００８８】
また、上記では、リンク決定部４７は、ページ判定部４５が「転換型ページ」と判定したウェブページの中からリンク先となる「転換型ページ」をランダムに決定する例について説明したが、これに限定されるものではない。例えば、リンク決定部４７は、リンク元である「集客型ページ」とページ判定部４５が「転換型ページ」と判定したウェブページとの類似度を算出し、類似度が最も高いウェブページがリンク先となる気付きリンクを生成しても良い。類似度に基づいてリンク先となる「転換型ページ」を決定すると、ランダムでリンク先となる「転換型ページ」を決定するよりも、より関連性の有するウェブページ間に気付きリンクを生成できる。
【００８９】
ここで、類似度の算出方法は、例えば、比較対象となるそれぞれのウェブページの文章の名詞を抽出するとともに、抽出した名詞の出現数と出現頻度とでベクトルを算出し、算出したベクトルの角度の大きさで類似度を算出するが、これに限定されるものではない。例えば、類似度の算出方法は、上記の他に従来から知られている類似度を算出するアルゴリズムを用いて算出しても良い。
【００９０】
また、リンク決定部４７は、「集客型ページ」をリンク元とし「転換型ページ」をリンク先とする気付きリンクを生成する例について説明したが、ウェブサイトのトップページをリンク元の「集客型ページ」から除外して、気付きリンクを生成することが好ましい。トップページは、ウェブサイトの入り口であるため、ウェブサイトを構成する全てのウェブページの中で最もアクセス頻度が高いページとなるからである。また、サイト管理者が、入力部４０により、リンク決定部４７による気付きリンクを生成する対象から除外するウェブページを指定しても良い。これにより、気付きリンクのリンク元およびリンク先として相応しくないウェブページを除外できる。
【００９１】
また、上記では、リンク評価部５０は、ページ判定部４５が「集客型ページ」および「転換型ページ」と判定する境界条件（Ｓａ、Ｄａ）を閾値として有効な気付きリンクであるか否かを評価する例について説明したが、これに限定されるものではない。例えば、リンク評価部５０は、ページ判定部４５による境界条件（Ｓａ、Ｄａ）に代えて、任意の値を閾値としても良い。これにより、リンク評価部５０は、有効な気付きリンクであるか否かを木目細かく評価できる。
【００９２】
さらに、上記では、リンク評価部５０は、リンク元のページの到達頻度が閾値より大きく、かつ、リンク先のページのアクセス頻度が閾値より大きい気付きリンクを有効な気付きリンクと判定する例について説明したが、これに限定されるものではない。例えば、リンク評価部５０は、リンク元のページの到達頻度が閾値より大きく、かつ、リンク先のページのアクセス頻度が閾値より大きい気付きリンクであっても、リンク先のページの到達頻度が閾値より小さい気付きリンクは無効な気付きリンクと判定しても良い。すなわち、リンク先のページの到達頻度が閾値より小さい気付きリンクは、利用者にとって期待に反する気付きリンクであって、利用者を混乱させている可能性が高い。このため、リンク先のページの到達頻度が閾値より小さい気付きリンクは、利用者をゴールページに到達させていない無効な気付きリンクと判定することが好ましい。
【００９３】
（実施の形態２）
図１５は、本実施形態に係るネットワークシステム１０の概略構成を示すブロック図である。なお、図３において説明した構成と同様の機能を有する構成については、図３と同じ参照符号を付記し、その詳細な説明は省略する。
【００９４】
本実施形態に係るウェブサイト構築支援システム７は、コンテンツマネジメントシステム（ＣＭＳ：Contents Management System）として機能する。このため、ウェブサイト構築支援システム７は、ページテンプレート格納部７０、ページ内容格納部７１、ページ生成部７２、および、ページデータ格納部７３を備えている。なお、コンテンツマネジメントシステムとは、一般に、ウェブサイトを構成するウェブページを一元的に保守・管理して、ウェブサイトを構築・編集できるシステムである。
【００９５】
ページテンプレート格納部７０は、ウェブページのレイアウト情報（スタイルシート）や共通のデザイン要素などから構成されるページテンプレートを記憶する。このページテンプレートには、入力部４０から入力された気付きリンクの個数や、気付きリンクの座標データである挿入位置が含まれている。すなわち、ページテンプレート格納部７０は、図３のリンクフォーマット格納部４１を含んでいる。
【００９６】
ページ内容格納部７１は、ウェブページのテキストや画像などから構成されるページ内容を記憶する。このページ内容には、リンク決定部４７が生成した気付きリンクに関する情報が含まれている。すなわち、ページ内容格納部７１は、図３のリンク格納部４８を含んでいる。なお、ページ内容は、ＸＭＬ（eXtensible Markup Language）形式で記憶されている。
【００９７】
ページ生成部７２は、図３のページ生成部４９の機能に加えて、ページテンプレート格納部７０に記憶されているページテンプレート、および、ページ内容格納部７１に記憶されているページ内容に基づいて、ウェブページのＨＴＭＬを生成する機能を備えている。
【００９８】
また、ページ生成部７２は、ウェブページのＨＴＭＬを生成する際、ページ内容に含まれている気付きリンクに関する情報に基づいて、リンク元のページに気付きリンクを挿入する。ここで、ページ生成部７２は、ページテンプレートに含まれている気付きリンクの挿入位置に従って、リンク元のページに気付きリンクを挿入する。ページ生成部７２は、生成したウェブページを後述するページデータ格納部７３に書き込む。
【００９９】
ページデータ格納部７３は、ページ生成部７２が生成したウェブページのＨＴＭＬを一時的に記憶するステージングデータベースである。ここで、入力部４０からサイト管理者（サイト責任者）が承認を与えると、ページデータ格納部７３は、記憶されているウェブページのＨＴＭＬをウェブサーバ３に送信する。なお、ページデータ格納部７３は、所定の公開時期などに基づいて、記憶されているウェブページのＨＴＭＬをウェブサーバ３に送信しても良い。
【０１００】
以上のように、本実施形態に係るウェブサイト構築支援システム７においても、集客型ページをリンク元とし転換型ページをリンク先とする気付きリンクが、リンク元の集客型ページに挿入される。これにより、集客型ページにアクセスした多数の利用者を転換型ページに誘導できるので、ゴールページに到達する利用者数を増加できる。また、上記の従来の構成のように、サイト管理者が、気付きリンクを生成する必要がないので、サイト管理者の人的コストを削減できる。
【０１０１】
（実施の形態３）
図１６は、本実施形態に係るネットワークシステム１１の概略構成を示すブロック図である。なお、図１５において説明した構成と同様の機能を有する構成については、図１５と同じ参照符号を付記し、その詳細な説明は省略する。
【０１０２】
本実施形態に係るウェブサイト構築支援システム８も、コンテンツマネジメントシステムとして機能する。すなわち、本実施形態は、実施形態２と異なり、サイト管理者に気付きリンクの候補を提示し、サイト管理者が所望の気付きリンクを選択する一方、サイト管理者に気付きリンクの評価結果を提示し、サイト管理者が気付きリンクの更新を指示する構成である。このため、ウェブサイト構築支援システム８は、リンク決定部８０、表示部８１、入力部８２、および、リンク評価部８３を備えている。
【０１０３】
リンク決定部８０は、図１５のリンク決定部４７の機能に加えて、ページテンプレート格納部７０に記憶された気付きリンクの個数を読み出し、読み出した気付きリンクの個数を超える気付きリンクを生成する機能を備えている。例えば、リンク決定部８０は、読み出した気付きリンクの個数が「２」である場合、その倍である４つの気付きリンクを生成する。リンク決定部８０は、生成した複数の気付きリンクを後述する表示部８１に出力する。
【０１０４】
表示部８１は、リンク決定部８０が生成した複数の気付きリンクを気付きリンクの候補として表示する。表示部８１は、気付きリンクの候補を例えば一覧形式で表示する。
【０１０５】
入力部８２は、図１４の入力部４０の機能に加えて、表示部８１に表示されている気付きリンクの候補の中から、サイト管理者が所望する気付きリンクを、サイト管理者に入力（選択）させる機能を備えている。入力された気付きリンクは、リンク決定部８０に出力される。
【０１０６】
リンク評価部８３は、図１４のリンク評価部５０の機能に加えて、気付きリンクの評価結果を表示部８１に出力する機能を備えている。
【０１０７】
表示部８１は、リンク評価部８３による気付きリンクの評価結果を表示する。例えば、表示部８１は、リンク評価部８３が気付きリンクを評価した結果を、有効な気付きリンクと無効な気付きリンクとに分けて表示する。
【０１０８】
入力部８２は、更に、表示部８１に表示されている気付きリンクの評価結果から、新たな気付きリンクを生成させるのか否かを、サイト管理者に入力させる機能を備えている。なお、入力された指示は、リンク決定部８０に出力される。これにより、無効な気付きリンクであっても、サイト管理者の判断で維持できる。また、有効な気付きリンクであっても、サイト管理者の判断で新たな気付きリンクに更新できる。それゆえ、より実情に則した気付きリンクを挿入できる。
【０１０９】
以上のように、本実施形態に係るウェブサイト構築支援システム８においても、集客型ページをリンク元とし転換型ページをリンク先とする気付きリンクが、リンク元の集客型ページに挿入される。これにより、集客型ページにアクセスした多数の利用者を転換型ページに誘導できるので、ゴールページに到達する利用者数を増加できる。また、上記の従来の構成のように、サイト管理者が、気付きリンクを生成する必要がないので、サイト管理者の人的コストを削減できる。
【０１１０】
以上の実施の形態に関し、更に以下の付記を開示する。
（付記１）
ウェブサイトを構成する複数のウェブページの中からゴールページを入力させる入力部と、
前記ウェブページへのアクセス履歴を表すアクセスログ情報を取得するアクセスログ取得部と、
前記アクセスログ取得部が取得した前記アクセスログ情報に基づいて、前記ウェブページへのアクセス頻度を算出するアクセス頻度演算部と、
前記アクセスログ取得部が取得した前記アクセスログ情報に基づいて、前記ゴールページへの到達頻度を算出する到達頻度演算部と、
前記アクセス頻度が境界条件より大きいウェブページを集客型ページと判定し、前記到達頻度が境界条件より大きいウェブページを転換型ページと判定するページ判定部と、
前記ページ判定部の判定結果を記憶するページ判定結果格納部と、
前記ページ判定結果格納部に記憶された前記判定結果に基づいて、集客型ページをリンク元とし転換型ページをリンク先とするリンク情報を生成するリンク決定部と、
前記リンク決定部が生成した前記リンク情報をリンク元の前記集客型ページに挿入するページ生成部とを備えたことを特徴とするウェブサイト構築支援システム（１）。
（付記２）
リンク元である集客型ページの到達頻度が閾値より小さいリンク情報、または、リンク先である転換型ページのアクセス頻度が閾値より小さいリンク情報を無効なリンク情報と判定するリンク評価部を更に備え、
前記リンク決定部は、前記ページ判定部が転換型ページと判定したウェブページの中から、無効なリンク情報におけるリンク先の転換型ページに代わる転換型ページを決定し、決定した前記転換型ページをリンク先とするリンク情報を新たに生成し、
前記ページ生成部は、前記リンク決定部が新たに生成した前記リンク情報を、前記無効なリンク情報に代えて、リンク元の前記集客型ページに挿入する付記１に記載のウェブサイト構築支援システム（２）。
（付記３）
前記リンク評価部は、リンク元である集客型ページの到達頻度が閾値より大きく、かつ、リンク先である転換型ページのアクセス頻度が閾値より大きいリンク情報を有効なリンク情報と判定する付記２に記載のウェブサイト構築支援システム（３）。
（付記４）
前記リンク評価部は、前記ページ判定部が集客型ページおよび転換型ページと判定する境界条件を閾値とする付記２または付記３記載のウェブサイト構築支援システム。
（付記５）
前記リンク決定部は、前記ページ判定部が転換型ページと判定したウェブページの中から、リンク先となる転換型ページをランダムに決定し、決定した前記転換型ページがリンク先となるリンク情報を生成する付記１〜４のいずれか一項に記載のウェブサイト構築支援システム。
（付記６）
前記リンク決定部は、リンク元である集客型ページと前記ページ判定部が転換型ページと判定したウェブページとの類似度を算出し、類似度が最も高いウェブページがリンク先となるリンク情報を生成する付記１〜４のいずれか一項に記載のウェブサイト構築支援システム。
（付記７）
前記到達頻度演算部は、前記ウェブページへのアクセス頻度と、前記ウェブページにアクセスした後、ゴールページへの到達数との割合に基づいて到達頻度を算出する付記１〜６のいずれか一項に記載のウェブサイト構築支援システム。
（付記８）
ウェブサイトを構成する複数のウェブページの中からゴールページを入力させる入力工程と、
前記ウェブページへのアクセス履歴を表すアクセスログ情報を取得するアクセスログ取得工程と、
前記アクセスログ取得工程で取得された前記アクセスログ情報に基づいて、前記ウェブページへのアクセス頻度を算出するアクセス頻度演算工程と、
前記アクセスログ取得工程で取得された前記アクセスログ情報に基づいて、前記ゴールページへの到達頻度を算出する到達頻度演算工程と、
前記アクセス頻度が境界条件より大きいウェブページを集客型ページと判定し、前記到達頻度が境界条件より大きいウェブページを転換型ページと判定するページ判定工程と、
前記ページ判定工程の判定結果をページ判定結果格納部に記憶するページ判定結果格納工程と、
前記ページ判定結果格納工程で前記ページ判定結果格納部に記憶された前記判定結果に基づいて、集客型ページをリンク元とし転換型ページをリンク先とするリンク情報を生成するリンク決定工程と、
前記リンク決定工程で生成された前記リンク情報をリンク元の前記集客型ページに挿入するページ生成工程とを含むことを特徴とするウェブサイト構築支援方法（４）。
（付記９）
ウェブサイトを構成する複数のウェブページの中からゴールページを入力させる入力処理と、
前記ウェブページへのアクセス履歴を表すアクセスログ情報を取得するアクセスログ取得処理と、
前記アクセスログ取得処理で取得された前記アクセスログ情報に基づいて、前記ウェブページへのアクセス頻度を算出するアクセス頻度演算処理と、
前記アクセスログ取得処理で取得された前記アクセスログ情報に基づいて、前記ゴールページへの到達頻度を算出する到達頻度演算処理と、
前記アクセス頻度が境界条件より大きいウェブページを集客型ページと判定し、前記到達頻度が境界条件より大きいウェブページを転換型ページと判定するページ判定処理と、
前記ページ判定処理の判定結果をページ判定結果格納部に記憶するページ判定結果格納処理と、
前記ページ判定結果格納処理で前記ページ判定結果格納部に記憶された前記判定結果に基づいて、集客型ページをリンク元とし転換型ページをリンク先とするリンク情報を生成するリンク決定処理と、
前記リンク決定処理で生成された前記リンク情報をリンク元の前記集客型ページに挿入するページ生成処理とをコンピュータに実行させることを特徴とするウェブサイト構築支援プログラム（５）。
【産業上の利用可能性】
【０１１１】
以上のように、本発明は、人的コストをかけることなく、利用者をゴールページに誘導するためのリンク情報をウェブページに効率的に挿入できるウェブサイト構築支援システム、ウェブサイト構築支援方法およびウェブサイト構築支援プログラムとして有用である。
【図面の簡単な説明】
【０１１２】
【図１】複数のウェブページから構成されるウェブサイトを概念的に示す図である。
【図２】複数のウェブページがツリー構造で構成されているウェブサイトの一例を示す図である。
【図３】本発明の第１の実施形態に係るウェブサイト構築支援システムの概略構成を示すブロック図である。
【図４】本発明の第１の実施形態に係るウェブサーバのアクセスログ情報格納部に記憶されているアクセスログ情報の一例を示す図である。
【図５】上記のウェブサイト構築支援システムにおけるページ判定部のページ判定処理の一例を概念的に示す図である。
【図６】上記のウェブサイト構築支援システムにおけるページ判定結果格納部のデータ構造の一例を示す図である。
【図７】上記のウェブサイト構築支援システムにおけるリンク決定部のリンク決定処理の一例を概念的に示す図である。
【図８】上記のウェブサイト構築支援システムにおけるリンク格納部のデータ構造の一例を概念的に示す図である。
【図９】上記のウェブサイト構築支援システムにおけるページ生成部が生成したウェブページの一例を示す図である。
【図１０】上記のウェブサイト構築支援システムにおけるページ判定部のページ判定処理の一例を概念的に示す図である。
【図１１】上記のウェブサイト構築支援システムの動作概要を示すフローチャートである。
【図１２】上記のウェブサイト構築支援システムにおける演算部（到達頻度演算部）による到達頻度を算出する一例を示すフローチャートである。
【図１３】上記のウェブサイト構築支援システムにおける気付きリンクの評価の処理の一例を示すフローチャートである。
【図１４】上記のウェブサイト構築支援システムにおける演算部（到達頻度演算部）による到達頻度を算出する他の例を示すフローチャートである。
【図１５】本発明の第２の実施形態に係るウェブサイト構築支援システムの概略構成を示すブロック図である。
【図１６】本発明の第３の実施形態に係るウェブサイト構築支援システムの概略構成を示すブロック図である。
【図１７】複数のウェブページがツリー構造で構成されているウェブサイトの従来例を示す図である。
【符号の説明】
【０１１３】
４、７、８  ウェブサイト構築支援システム
４０、８２  入力部
４３  アクセスログ取得部
４４  演算部
４４ａ  アクセス頻度演算部
４４ｂ  到達頻度演算部
４５  ページ判定部
４６  ページ判定結果格納部
４７、８０  リンク決定部
４９、７２  ページ生成部
５０、８３  リンク評価部
【図１】
2008026972.tif 000003
【図２】
2008026972.tif 000004
【図３】
2008026972.tif 000005
【図４】
2008026972.tif 000006
【図５】
2008026972.tif 000007
【図６】
2008026972.tif 000008
【図７】
2008026972.tif 000009
【図８】
2008026972.tif 000010
【図９】
2008026972.tif 000011
【図１０】
2008026972.tif 000012
【図１１】
2008026972.tif 000013
【図１２】
2008026972.tif 000014
【図１３】
2008026972.tif 000015
【図１４】
2008026972.tif 000016
【図１５】
2008026972.tif 000017
【図１６】
2008026972.tif 000018
【図１７】
2008026972.tif 000019